(57)【要約】【課題】入浴環境をさらに快適とすることが可能な新規な構成を有した浴槽用給湯口装置を提供すること【解決手段】浴槽用循環口装置２は、浴槽１内へと排出される湯水にマイクロバブルを供給する機能を有する。浴槽用循環口装置２は、浴槽１外に配置された吸気ユニット２０を介して、マイクロバブルを発生させるための空気を取り込む。吸気ユニット２０内に配置されたフィルターエレメント２６には、芳香液が染み込ませてある。【選択図】図２
2018134351.tif 000002
【特許請求の範囲】
【請求項１】
浴槽内に配置され外部から供給される湯水を浴槽へと排出するための装置本体と、当該装置本体に内蔵されて、前記浴槽内へと排出される湯水にマイクロバブルを供給するためのマイクロバブル発生器と、前記浴槽外に配置されるとともに前記マイクロバブル発生器に吸気管を介して接続され、当該マイクロバブル発生器へと供給する空気を取り込むための吸気ユニットとを備えた浴槽用給湯口装置において、前記吸気ユニット内に芳香剤又は消臭剤を配置したことを特徴とする浴槽用給湯口装置。
【発明の詳細な説明】
【技術分野】
【０００１】
本発明は、マイクロバブル等の微細気泡を発生させる機能を有した浴槽用給湯口装置に関する。
【背景技術】
【０００２】
特許文献１には、マイクロバブルを発生させる機能を有した浴槽用給湯口アダプターが開示されている。当該浴槽用給湯口アダプターは、浴室内でかつ浴槽外に配置された吸気ユニットを介して浴室の空気を吸入することで、浴槽内へと排出される湯水にマイクロバブルを供給する。
【先行技術文献】
【特許文献】
【０００３】
【特許文献１】特開２０１５−１９８８７１号公報
【発明の概要】
【発明が解決しようとする課題】
【０００４】
ところが、特許文献１の技術は、吸気ユニット周辺の空気が臭いと、その臭いを浴槽内に持ち込んでしまう問題があった。
【０００５】
本発明の目的は、入浴環境をさらに快適とすることが可能な新規な構成を有した浴槽用給湯口装置を提供すること。
【課題を解決するための手段】
【０００６】
上記目的を達成するために請求項１の発明の浴槽用給湯口装置は、浴槽内に配置され外部から供給される湯水を浴槽へと排出するための装置本体と、当該装置本体に内蔵されて、前記浴槽内へと排出される湯水にマイクロバブルを供給するためのマイクロバブル発生器と、前記浴槽外に配置されるとともに前記マイクロバブル発生器に吸気管を介して接続され、当該マイクロバブル発生器へと供給する空気を取り込むための吸気ユニットとを備えた浴槽用給湯口装置において、前記吸気ユニット内に芳香剤又は消臭剤を配置したことを特徴とする。
【発明の効果】
【０００７】
本発明によれば、吸気ユニット内に配置された芳香剤の香りが、空気とともにマイクロバブル発生器へと送られる。したがって、浴槽内でマイクロバブルが弾けると、良い香りが漂うようになり、たとえ吸気ユニット周辺の空気が臭くとも、その臭いによる影響を緩和して、入浴環境を快適とすることができる。或いは、吸気ユニット内に配置された消臭剤が、マイクロバブル発生器へと送られる空気を消臭する。したがって、たとえ吸気ユニット周辺の空気が臭くとも、その臭いによる影響を緩和して、入浴環境を快適とすることができる。
【図面の簡単な説明】
【０００８】
【図１】浴槽と給湯器との間における湯水の循環回路を説明するための図。
【図２】図１において浴槽用循環口装置を拡大して示す図であり、部分的に破断して示す図。
【発明を実施するための形態】
【０００９】
以下、本発明を具体化した一実施形態について、図面を用いて詳細に説明する。
図１に示すように、浴室に設置された浴槽１には、浴槽用給湯口装置としての浴槽用循環口装置２が装着されている。浴槽用循環口装置２には、往き側配管４０及び戻り側配管４１をそれぞれ介して給湯器８が接続されている。給湯器８で温められた湯水は、往き側配管４０及び浴槽用循環口装置２を介して浴槽１内へと排出されるとともに、浴槽１内の湯水は、浴槽用循環口装置２及び戻り側配管４１を介して給湯器８へと戻される。
【００１０】
図２に示すように、浴槽用循環口装置２の装置本体４は、浴槽１の内壁面側に配置された給湯口アダプター５０と、浴槽１の外壁面側に配置されて給湯口アダプター５０とで浴槽１の壁を挟み込む外部筒体１１とを備えている。外部筒体１１には、往き側配管４０を装置本体４に接続するための往き側継手３５、及び戻り側配管４１を装置本体４に接続するための戻り側継手３６がそれぞれ設けられている。
【００１１】
給湯口アダプター５０において浴槽１内に臨む先端面には、吐出口５０ａ及び吸入口５０ｂがそれぞれ形成されている。給湯口アダプター５０の内部には、吐出口５０ａと往き側継手３５の内部通路（図示しない）とを接続する吐出通路５１が設けられている。また、給湯口アダプター５０の内部には、吸入口５０ｂと戻り側継手３６の内部通路（図示しない）とを接続する吸入通路５２が設けられている。
【００１２】
したがって、給湯器８（図１参照）からの湯水は、往き側配管４０、往き側継手３５の内部通路、吐出通路５１及び吐出口５０ａを同順に介して、浴槽１内へと排出される。また、浴槽１内の湯水は、吸入口５０ｂ、吸入通路５２、戻り側継手３６の内部通路及び戻り側配管４１を同順に介して給湯器８（図１参照）へと戻される。
【００１３】
給湯口アダプター５０の吐出通路５１内には、マイクロバブル発生器を構成する円筒状のバブル発生ノズル１６が配置されている。バブル発生ノズル１６は、通過断面積が小さな吐出口５０ａ側の先端部（図面左方側の端部）と、通過断面積が大きな基端部（図面右方側の端部）とが、徐々に通過断面積を変更するように接続された、所謂スロート形状をなしている。バブル発生ノズル１６内には、マイクロバブル発生器を構成する空気供給ノズル１２が配置されている。空気供給ノズル１２は、全体としてＬ字形をなしており、一端部がバブル発生ノズル１６の先端部側（吐出口５０ａ側）に向かって開口されているとともに、他端部が給湯口アダプター５０の外面から取り出されている。
【００１４】
浴室において浴槽１の外に位置する壁面６１には、吸気ユニット２０が取り付けられている。吸気ユニット２０は、基板２１と、基板２１の表面側を覆うように基板２１に対して着脱自在に取り付けられたカバー２２とを備えている。基板２１の裏面側には、吸盤２３が取付けられている。吸気ユニット２０は、吸盤２３によって、浴室の壁面６１に対して着脱自在に固定されている。カバー２２の下端部にはスリット２２ａが形成されており、スリット２２ａを介して吸気ユニット２０の内空間が外部に開放されている。
【００１５】
吸気ユニット２０内において基板２１には、保持凹部２５が形成されている。保持凹部２５内には、ペーパー式やウレタンフォーム（スポンジ）式等のフィルターエレメント２６が保持されている。保持凹部２５の底には、連結パイプ２７の一端部が接続されており、連結パイプ２７の内空間は、フィルターエレメント２６を介して吸気ユニット２０内へと開放されている。連結パイプ２７の他端部は、カバー２２を貫通して吸気ユニット２０の外に突出されている。
【００１６】
吸気管３０は、柔軟性を有する軟質合成樹脂や合成ゴム等によって構成されている。吸気管３０は、一端部が吸気ユニット２０の連結パイプ２７の他端部に接続されているとともに、他端部が給湯口アダプター５０の空気供給ノズル１２の他端部に接続されている。吸気管３０において途中部分の何か所かは、保持具３１によって、浴槽１の内面や浴室の壁面６１に固定されている。保持具３１は、吸気管３０を挿通保持する保持部３２と、保持部３２を壁面６１等に対して着脱可能に固定する吸盤２３とを備えている。
【００１７】
浴槽用循環口装置２は、給湯器８から供給された湯水が吐出通路５１内を流通すると、スロート形状をなすバブル発生ノズル１６内で負圧が発生し、当該負圧に起因して、吸気ユニット２０及び吸気管３０を介してバブル発生ノズル１６へと空気が供給される。詳しくは、吸気ユニット２０周辺の空気は、スリット２２ａを介して吸気ユニット２０の内空間に取り込まれ、フィルターエレメント２６で塵埃等が除去された後、連結パイプ２７及び吸気管３０を経由して空気供給ノズル１２へと供給される。空気供給ノズル１２に供給された空気は、バブル発生ノズル１６内において湯水に混入され、マイクロバブル水として吐出口５０ａから浴槽１内へと排出される。
【００１８】
さて、本実施形態の浴槽用循環口装置２は、吸気ユニット２０のフィルターエレメント２６に、芳香剤（芳香液）が染み込ませてある。したがって、当該芳香剤の香りが、吸気ユニット２０からの空気とともに空気供給ノズル１２及びバブル発生ノズル１６へと送られる。したがって、浴槽１内でマイクロバブルが弾けると、良い香りが漂うようになり、たとえ吸気ユニット２０周辺の空気が臭くとも、その臭いによる影響を緩和して、入浴環境を快適とすることができる。
【００１９】
＜変形例＞
なお、上記実施形態を次のように変更して具体化することも可能である。
〇芳香剤（芳香液）を、フィルターエレメント２６とは別の部材に染み込ませて、吸気ユニット２０内に配置すること。
○芳香剤として固形のものを用いること。
〇給湯の機能のみを有した浴槽用給湯口装置において具体化すること。
〇芳香剤に替えて消臭剤を吸気ユニット２０内に配置すること。このようにすれば、バブル発生ノズル１６へと送られる空気が消臭剤によって消臭されるため、たとえ吸気ユニット２０周辺の空気が臭くとも、その臭いによる影響を緩和して、入浴環境を快適とすることができる。
【符号の説明】
【００２０】
１…浴槽、２…浴槽用給湯口装置としての浴槽用循環口装置、４…装置本体、１２…マイクロバブル発生器を構成する空気供給ノズル、１６…マイクロバブル発生装置を構成するバブル発生ノズル、２０…吸気ユニット、２６…芳香剤（芳香液）が染み込ませてあるフィルターエレメント、３０…吸気管。
【図１】
2018134351.tif 000003
【図２】
2018134351.tif 000004